(57)【要約】【課題】鍵情報の取得作業の利便性確保を可能にした鍵情報配信システム及び鍵情報配信方法を提供する。【解決手段】鍵情報配信部２９は、鍵情報Ｄｋの一括配信の発行依頼（鍵発行依頼）を受けた場合に、１つの携帯端末８に対しての複数の鍵情報Ｄｋの一括配信を実行する。鍵情報配信部２９は、ある単位で一括りにされた複数の鍵情報Ｄｋを携帯端末８に一括配信する。鍵情報配信部２９は、宿泊施設２の中の特定の区割り（例えば、部屋番号やフロアー）で一括りにされた複数の鍵情報Ｄｋを、携帯端末８に一括配信する。【選択図】図１
2019193081.tif 000002
【特許請求の範囲】
【請求項１】
共用される機器の使用時に必要な鍵情報を取り込んだ携帯端末によって前記機器を作動させる場合に、機器側の認証装置と前記携帯端末とで認証が実行され、当該認証が成立すれば、前記認証装置を通じた前記機器の作動が可能となる前記携帯端末に対し、前記鍵情報を生成して配信する鍵情報配信システムであって、
ある単位で一括りにされた複数の鍵情報を前記携帯端末に一括配信する鍵情報配信部を備えた鍵情報配信システム。
【請求項２】
前記鍵情報配信部は、複数の前記機器のうち特定の区割りで一括りにされた機器群の前記鍵情報を一括配信する
請求項１に記載の鍵情報配信システム。
【請求項３】
前記携帯端末に登録された複数の前記鍵情報は、前記携帯端末において選択可能であり、選択された当該鍵情報が前記認証装置に送信されて、当該鍵情報の正否が確認される
請求項１又は２に記載の鍵情報配信システム。
【請求項４】
共用される機器の使用時に必要な鍵情報を取り込んだ携帯端末によって前記機器を作動させる場合に、機器側の認証装置と前記携帯端末とで認証が実行され、当該認証が成立すれば、前記認証装置を通じた前記機器の作動が可能となる前記携帯端末に対し、前記鍵情報を生成して配信する鍵情報配信方法であって、
ある単位で一括りにされた複数の鍵情報を前記携帯端末に一括配信する鍵情報配信方法。
【発明の詳細な説明】
【技術分野】
【０００１】
本発明は、携帯端末に対して鍵情報を配信する鍵情報配信システム及び鍵情報配信方法に関する。
【背景技術】
【０００２】
従来、各ユーザが所持する高機能携帯電話等の携帯端末に鍵情報を登録して、この携帯端末で設備を作動させる共用システムが周知である（特許文献１等参照）。この共用システムの一例として、例えばカーシェアリングシステムが存在する。このカーシェアリングシステムでは、例えばカーシェア使用の登録を予め行っておき、例えば携帯端末（高機能携帯電話等）で車両の利用予約を行った上で、予約時間内において車両の使用が許可される。
【先行技術文献】
【特許文献】
【０００３】
【特許文献１】特開２０１５−２１８５０１号公報
【発明の概要】
【発明が解決しようとする課題】
【０００４】
ところで、この種の共用システムとして、宿泊施設における各宿泊部屋のドアの鍵として携帯端末を使用したいニーズがある。この場合、利用手続きをした宿泊部屋に対し、ドアの鍵となる固有の鍵情報を携帯端末に登録し、この携帯端末で宿泊部屋のドアの施解錠を実行する。ここで、各宿泊部屋の使用後、業者によって清掃を行う場合がある。このとき、業者は宿泊部屋ごとに鍵情報を自身の携帯端末に登録する作業が必要となるので、鍵情報の取得作業が面倒となる可能性があった。
【０００５】
本発明の目的は、鍵情報の取得作業の利便性確保を可能にした鍵情報配信システム及び鍵情報配信方法を提供することにある。
【課題を解決するための手段】
【０００６】
前記問題点を解決する鍵情報配信システムは、共用される機器の使用時に必要な鍵情報を取り込んだ携帯端末によって前記機器を作動させる場合に、機器側の認証装置と前記携帯端末とで認証が実行され、当該認証が成立すれば、前記認証装置を通じた前記機器の作動が可能となる前記携帯端末に対し、前記鍵情報を生成して配信する構成であって、ある単位で一括りにされた複数の鍵情報を前記携帯端末に一括配信する鍵情報配信部を備えた。
【０００７】
本構成によれば、機器を作動させる際には、それぞれの機器ごとに固有の鍵情報が必要となるが、携帯端末に鍵情報を登録するにあたり、ある単位で一括りにされた複数の鍵情報を一挙に携帯端末に配信するようにした。このため、携帯端末に鍵情報を登録するに際して、鍵情報の取得作業を機器ごとに別途行わすに済む。よって、鍵情報の取得作業の利便性を確保することが可能となる。
【０００８】
前記鍵情報配信システムにおいて、前記鍵情報配信部は、複数の前記機器のうち特定の区割りで一括りにされた機器群の前記鍵情報を一括配信することが好ましい。この構成によれば、複数の鍵情報を細かく区分けした括りで携帯端末に一括配信することが可能となる。よって、鍵情報の取得作業の利便性確保に一層有利となる。
【０００９】
前記鍵情報配信システムにおいて、前記携帯端末に登録された複数の前記鍵情報は、前記携帯端末において選択可能であり、選択された当該鍵情報が前記認証装置に送信されて、当該鍵情報の正否が確認されることが好ましい。この構成によれば、携帯端末に一括登録した複数の鍵情報のうち、どの鍵情報を使用するのかを適宜選択することが可能となる。よって、携帯端末に登録された複数の鍵情報の中から必要とするものを適宜選び出し、この鍵情報の認証を成立に移行させることにより、携帯端末と認証装置との通信をスムーズに確立することが可能となる。
【００１０】
前記問題点を解決する鍵情報配信方法は、共用される設備の使用時に必要な鍵情報を取り込んだ携帯端末によって前記設備の機器を作動させる場合に、機器側の認証装置と前記携帯端末とで認証が実行され、当該認証が成立すれば、前記認証装置を通じた前記機器の作動が可能となる前記携帯端末に対し、前記鍵情報を生成して配信する方法であって、ある単位で一括りにされた複数の鍵情報を前記携帯端末に一括配信する。
【発明の効果】
【００１１】
本発明によれば、鍵情報の取得作業の利便性を確保することができる。
【図面の簡単な説明】
【００１２】
【図１】一実施形態の鍵情報配信システムの構成図。
【図２】鍵状の認証の手順図。
【図３】鍵情報の選択画面図。
【図４】鍵情報の一括配信の手順を示すフローチャート。
【発明を実施するための形態】
【００１３】
以下、鍵情報配信システム及び鍵情報配信方法の一実施形態を図１〜図４に従って説明する。
図１に示すように、複数人で共用される設備１は、例えば民泊等で使用される宿泊施設２である。この宿泊施設２は、空いている場合にゲストに貸し出し可能な複数の宿泊部屋３を備える。
【００１４】
宿泊施設２は、予約した規定時間内の間、各ユーザが所持する携帯端末８で宿泊施設２の機器７（例えば各宿泊部屋３のドア等）を操作できるようにする共用システム９、いわゆるシェアリングシステムを備える。本例の共用システム９は、例えば暗号化された鍵情報Ｄｋを外部（本例はデータセンター１０）から携帯端末８に登録し、宿泊施設２に設けた認証装置１１との間で鍵情報Ｄｋの認証を実行し、その認証結果を機器７の操作可否の１条件とするものである。鍵情報Ｄｋは、例えば利用時間制限の要素が入った鍵の一種である。鍵情報Ｄｋは、使用が一度又は一定期間のみ許可されたワンタイムキー（ワンタイムパスワード）であることが好ましい。
【００１５】
携帯端末８は、携帯端末８の作動を制御する端末制御部１３と、携帯端末８においてネットワーク通信を行うネットワーク通信モジュール１４と、携帯端末８において近距離無線通信を行う近距離無線モジュール１５と、データ書き込み及び書き替えが可能なメモリ１６とを備える。携帯端末８は、データセンター１０からネットワーク通信を通じて鍵情報Ｄｋを取得した場合、この鍵情報Ｄｋをメモリ１６に書き込み保存する。近距離無線通信は、例えばブルートゥース（Bluetooth：登録商標）であることが好ましい。
【００１６】
携帯端末８は、携帯端末８において共用システム９の作動を管理するユーザインターフェースアプリケーション１７を備える。ユーザインターフェースアプリケーション１７は、例えばデータセンター１０からダウンロードされるなどして、端末制御部１３に設けられる。ユーザインターフェースアプリケーション１７は、例えば宿泊施設２の利用手続き（本人認証、予約手続き）や、機器７の作動など、種々の処理を実行する。
【００１７】
認証装置１１は、携帯端末８に登録された鍵情報Ｄｋの正否を認証する鍵情報認証部２０と、宿泊施設２に設けられたコントローラ２１を通じて機器７を作動させる制御処理部２２と、データ書き込み及び書き替えが可能なメモリ２３とを備える。鍵情報認証部２０は、携帯端末８から近距離無線通信を通じて鍵情報Ｄｋを取得し、この鍵情報Ｄｋを認証する。鍵情報認証部２０は、鍵情報Ｄｋの認証が成立に移行した場合、制御処理部２２の作動を有効にする。
【００１８】
制御処理部２２は、作動が有効となっている場合、携帯端末８から近距離無線を通じて機器７の操作要求を受信すると、これをコントローラ２１に出力する。コントローラ２１は、制御処理部２２から入力した操作要求を基に、機器７を作動させる。このように、コントローラ２１は、制御処理部２２からの各種要求に応じて、機器７を作動させるものである。
【００１９】
図２に、鍵情報Ｄｋの認証の手順を示す。同図のステップ１０１において、携帯端末８は、データセンター１０との間でネットワーク通信を通じて本人認証を実行する。本人認証は、例えば共用システム９の利用登録時に付与されたユーザＩＤ及びパスワードを確認する認証である。
【００２０】
ステップ１０２において、携帯端末８は、データセンター１０との間でネットワーク通信を通じて宿泊施設２の予約手続きを実行する。この予約手続きでは、例えば使用する宿泊施設２の使用部屋や使用日時等が入力され、これらがデータセンター１０に送信される。
【００２１】
ステップ１０３において、データセンター１０は、本人認証が成立した場合、鍵情報Ｄｋを生成し、これを携帯端末８にネットワーク通信を通じて送信する。このとき、データセンター１０は、例えば予約手続き時に取得した情報を用いて、鍵情報Ｄｋを生成する。本例の鍵情報Ｄｋは、例えば「予約日時」、「端末ＩＤ」、「ユーザ認証鍵」などを平文とし、例えば予約宿泊施設に設けられた認証装置１１の暗号鍵（例えば認証装置固有鍵）を暗号化鍵として、これらを暗号式（暗号アルゴリズム）に通すことにより生成された暗号文からなる。端末ＩＤは、携帯端末８の固有ＩＤである。ユーザ認証鍵は、例えば携帯端末８で機器７の操作を行うときに、携帯端末８及び認証装置１１の間で暗号通信される鍵の一種である。携帯端末８は、データセンター１０から鍵情報Ｄｋを受信すると、これをメモリ１６に書き込み保存する。
【００２２】
ステップ１０４において、携帯端末８は、予約宿泊施設の使用開始時、自身に登録された鍵情報Ｄｋを、近距離無線通信を通じて送信する。鍵情報Ｄｋは、例えばＢＬＥ（Bluetooth Low Energy）を通じて認証装置１１に送信される。
【００２３】
ステップ１０５において、認証装置１１は、携帯端末８から鍵情報Ｄｋを受信すると、鍵情報Ｄｋを認証する。本例の場合、認証装置１１は、暗号鍵（例えば認証装置固有鍵）を用いて鍵情報Ｄｋを復号し、この復号が成功したか否かを確認する。このとき、鍵情報Ｄｋの復号が成功すれば、鍵情報Ｄｋに含まれていた「予約日時」、「端末ＩＤ」、「ユーザ認証鍵」などを取得することができる。これにより、予約した規定時間の間、携帯端末８で宿泊部屋３の機器７（例えばドア等）を操作できるようになる。
【００２４】
認証装置１１は、鍵情報Ｄｋの認証が成功すれば、鍵情報Ｄｋの「認証完了状態」に移行し、制御処理部２２の作動が有効となる。よって、制御処理部２２は、コントローラ２１を介した機器７の作動が実行可能となる。また、認証装置１１は、鍵情報Ｄｋの認証が成立した場合、鍵情報Ｄｋやユーザ認証鍵をメモリ２３に書き込み保存する。
【００２５】
認証装置１１は、鍵情報Ｄｋの認証が成立した場合、この認証において取得したユーザ認証鍵を、近距離無線通信を通じて携帯端末８に通知する。携帯端末８は、認証装置１１からユーザ認証鍵を受信すると、これをメモリ１６に登録する。以上により、携帯端末８及び認証装置１１の両方にユーザ認証鍵が登録される。従って、携帯端末８で認証装置１１を通じて機器７を作動させる場合、携帯端末８及び認証装置１１の間の暗号通信にユーザ認証鍵が使用される。
【００２６】
図１に戻り、共用システム９は、１つ携帯端末８に対して複数の鍵情報Ｄｋを一括配信する機能（鍵情報配信システム２８）を備える。ところで、例えば宿泊施設２の作業者（清掃者等）は、複数の宿泊部屋３をメンテナンス作業する場合がある。この場合、宿泊部屋３内に入るには、ドア解錠のための鍵情報Ｄｋを作業者の携帯端末８に登録する必要がある。しかし、各宿泊部屋３に入る度に鍵情報Ｄｋの取得操作を毎回行うのは、非常に面倒である。本例は、この問題に対する対策である。
【００２７】
鍵情報配信システム２８は、鍵情報Ｄｋの一括配信の発行依頼（鍵発行依頼）を受けた場合に、１つの携帯端末８に対しての複数の鍵情報Ｄｋの一括配信を実行する鍵情報配信部２９を備える。鍵情報配信部２９は、データセンター１０に設けられている。鍵情報配信部２９は、ある単位で一括りにされた複数の鍵情報Ｄｋを携帯端末８に一括配信する。また、本例の鍵情報配信部２９は、宿泊施設２の中の特定の区割り（例えば、部屋番号やフロアー）で一括りにされた複数の鍵情報Ｄｋを、携帯端末８に一括配信する。
【００２８】
次に、図３及び図４を用いて、本実施形態の鍵情報配信システム２８の作用及び効果について説明する。
図４に示すように、ステップ２０１において、携帯端末８（作業者の携帯端末８）は、データセンター１０との間でネットワーク通信を通じて本人認証（作業者認証）を実行する。ここでの本人認証（作業者認証）は、例えば作業者ＩＤ、パスワード及び作業者番号を確認する認証である。なお、作業者番号は、例えばメンテナンス業者への加入順を表す番号である。
【００２９】
ステップ２０２において、携帯端末８（作業者の携帯端末８）は、データセンター１０との間でネットワーク通信を通じて宿泊施設２の予約手続きを実行する。作業者の予約手続きでは、宿泊施設２の使用部屋が一括指定され、具体例としては、例えば宿泊施設２の住所、宿泊施設２のフロアー、宿泊施設２の部屋番号群が入力される。また、作業者の予約手続きでは、これら使用部屋の使用日時（作業日時）も併せて入力される。
【００３０】
ステップ２０３において、データセンター１０の鍵情報配信部２９は、作業者の予約手続き時に取得した情報を用いて、作業者の携帯端末８に発行する鍵情報Ｄｋを生成する。本例の場合、鍵情報配信部２９は、宿泊部屋３ごとに設定された鍵情報Ｄｋを一括生成する。具体例としては、例えば部屋番号「Ａ」に対して鍵情報Ｄｋ１が生成され、部屋番号「Ｂ」に対して鍵情報Ｄｋ２が生成され、これら以外の部屋番号に対しても、同様に個別の鍵情報Ｄｋが生成される。なお、鍵情報Ｄｋの生成は、ステップ１０３と同様であるので、説明を省略する。
【００３１】
ステップ２０４において、鍵情報配信部２９は、鍵情報Ｄｋ（第１鍵情報Ｄｋ１、第２鍵情報Ｄｋ２、…）の生成後、これらを携帯端末８にネットワーク通信を通じて一括配信する。携帯端末８は、これら鍵情報Ｄｋ（第１鍵情報Ｄｋ１、第２鍵情報Ｄｋ２、…）を受信すると、これらをメモリ１６に書き込み保存する。これにより、１つの携帯端末８で複数の宿泊部屋３の機器７を作動させることが可能な状態となる。
【００３２】
ステップ２０５において、携帯端末８は、宿泊施設２の認証装置１１に接近すると、認証装置１１との間の近距離無線通信を接続する。この場合、認証装置１１から定期送信されるアドバタイズを携帯端末８が受信すると、携帯端末８がコネクトリクエストを認証装置１１に自動で返信することにより、近距離無線通信が接続される。
【００３３】
図３に示すように、作業者は、宿泊部屋３のドアを解錠する場合、携帯端末８のディスプレイ３１に、鍵情報Ｄｋ（宿泊部屋３）を選択指定するのに使用する選択画面３２を表示する。この選択画面３２には、操作対象が宿泊部屋３の場合、部屋番号を選択する選択部３３が表示されている。作業者は、この選択部３３を操作することにより部屋番号を選び、選択後、同じ選択画面３２に表示されている鍵情報送信ボタン３４を操作する。
【００３４】
携帯端末８は、選択画面３２で部屋番号が選択されると、選択された鍵情報Ｄｋについての認証を開始する。このとき、携帯端末８は、選択画面３２で選択された部屋番号の鍵情報Ｄｋを、近距離無線通信を通じて認証装置１１に送信する。鍵情報Ｄｋは、例えばＢＬＥ（Bluetooth Low Energy）を通じて認証装置１１に送信される。
【００３５】
認証装置１１は、携帯端末８から鍵情報Ｄｋを受信すると、鍵情報Ｄｋを認証し、鍵情報Ｄｋの認証が成立、すなわち鍵情報Ｄｋの復号が成功すれば、鍵情報Ｄｋに含まれていた「予約日時」、「端末ＩＤ」、「ユーザ認証鍵」などを取得することができる。これにより、作業者は、予約した規定時間の間、選択した宿泊部屋３の機器７（例えばドア等）を操作できるようになる。
【００３６】
図４に戻り、ステップ２０６において、携帯端末８は、鍵情報Ｄｋの認証成立後、指定した宿泊部屋３のドアの解錠を要求する解錠要求を、近距離無線を通じて認証装置１１に送信する。解錠要求は、ユーザ認証鍵によって暗号化されて送信される。なお、ドアの解錠は、例えば携帯端末８での操作を必要とするものでもよい。この場合、例えば携帯端末８の画面上にドア解錠操作ボタンを表示し、同ボタンをタップする操作であることが好ましい。
【００３７】
ステップ２０７において、認証装置１１は、携帯端末８から解錠要求を受信すると、これをコントローラ２１に出力する。
ステップ２０８において、コントローラ２１は、認証装置１１から解錠要求を入力すると、ユーザによる指定機器７ａ、すなわちユーザにより指定された宿泊部屋３のドアに解錠命令を出力する。
【００３８】
ステップ２０９において、指定機器７ａは、コントローラ２１から解錠命令を入力すると、この解錠命令の入力を契機に作動する。本例の場合、ユーザにより指定された宿泊部屋３のドアが解錠される。これにより、作業者は、指定の宿泊部屋３内に入って作業することが可能となる。
【００３９】
ステップ２１０において、指定機器７ａは、ドアの解錠後、その旨を通知する解錠応答をコントローラ２１に出力する。
ステップ２１１において、コントローラ２１は、指定機器７ａから入力した解錠応答を認証装置１１に出力する。
【００４０】
ステップ２１２において、認証装置１１は、コントローラ２１から入力した解錠応答を、近距離無線を通じて携帯端末８に送信する。解錠応答は、認証装置１１のユーザ認証鍵により暗号化されて送信される。これにより、指定した宿泊部屋３のドアが解錠されたことを、携帯端末８を通じて認識することが可能となる。そして、以降、作業者は、他の宿泊部屋３でも同様の操作を実行することにより宿泊部屋３のドアを解錠して、部屋内で作業を実行する。
【００４１】
さて、本例の場合、宿泊施設２の機器７を作動させる際には、それぞれの機器７ごとに固有の鍵情報Ｄｋが必要となるが、携帯端末８に鍵情報Ｄｋを登録するにあたり、ある単位で一括りにされた鍵情報Ｄｋ（Ｄｋ１，Ｄｋ２，…）を一挙に携帯端末８に配信するようにした。このため、携帯端末８に鍵情報Ｄｋを登録するに際して、鍵情報Ｄｋの取得作業を機器７ごとに別途行わずに済む。よって、鍵情報Ｄｋの登録作業の利便性を確保することができる。
【００４２】
鍵情報配信部２９は、複数の機器７（宿泊部屋３）のうち特定の区割り（例えばフロアーごと、宿泊部屋３の群）で一括りにされた機器群の鍵情報Ｄｋを一括送信する。これにより、複数の鍵情報Ｄｋを細かく区分けした括りで一括配信することができる。よって、鍵情報Ｄｋの取得作業の利便性確保に一層有利となる。
【００４３】
携帯端末８に登録された複数の鍵情報Ｄｋは、携帯端末８において選択可能であり、選択された鍵情報Ｄｋが認証装置１１に送信されて、鍵情報Ｄｋの正否が確認される。このため、携帯端末８に一括登録した複数の鍵情報Ｄｋのうち、どの鍵情報Ｄｋを使用するのかを適宜選択することが可能となる。よって、携帯端末８に登録された複数の鍵情報Ｄｋの中から必要とするものを適宜選び出し、この鍵情報Ｄｋの認証を成立に移行させることにより、携帯端末８と認証装置１１との通信をスムーズに確立することができる。
【００４４】
なお、本実施形態は、以下のように変更して実施することができる。本実施形態及び以下の変更例は、技術的に矛盾しない範囲で互いに組み合わせて実施することができる。
・設備１が宿泊施設２の場合、鍵情報配信部２９は、宿泊中の部屋を除いて鍵情報Ｄｋを一括配信する作動をとってもよい。
【００４５】
・鍵情報Ｄｋの一括配信は、例えば業者等の機器７を管理する対象のみ実施可能とし、一般のユーザには不可としてもよい。
・ドアの施解錠、すなわち機器７の作動は、例えば携帯端末８が機器７に近づいた際に、ユーザ認証鍵等での認証成立を条件に、自動で実行されてもよい。
【００４６】
・鍵情報配信部２９は、データセンター１０以外の別の箇所に設けられてもよい。
・認証装置１１は、設備１に後付けされる構成、或いは設備１に予め組み付いている構成のいずれでもよい。
【００４７】
・認証装置１１の搭載場所は、設備１のいずれの場所であってもよい。
・設備１の予約手続きは、携帯端末８で行われることに限らず、別の端末で実行されてもよい。
【００４８】
・鍵情報Ｄｋは、ワンタイムキーに限定されず、使用に時間制限の要素が入っている情報であればよい。
・鍵情報Ｄｋに含ませる内容は、実施形態以外の態様に変更可能である。
【００４９】
・鍵情報Ｄｋは、データセンター１０で生成されることに限定されず、外部であれば、どの場所でもよい。
・携帯端末８は、高機能携帯電話に限定されず、種々の端末に変更可能である。
【００５０】
・携帯端末８や認証装置１１は、ユーザ認証鍵をどのような手順や方式で取得してもよい。
・制御処理部２２の有効への切り替えは、何を条件としてもよい。
【００５１】
・近距離無線通信は、ブルートゥース通信に限定されず、他の通信方式に変更可能である。
・携帯端末８及び認証装置１１の間の通信、携帯端末８及びデータセンター１０の間の通信は、種々の周波数、通信方式が適用可能である。
【００５２】
・暗号通信に使用する暗号鍵は、例えば鍵情報Ｄｋ、認証装置固有鍵、ユーザ認証鍵、キー固有鍵のうち、どの鍵を使用してもよい。例えば、処理の途中で使用する暗号鍵を切り替えれば、通信のセキュリティ性を確保するのに有利となる。また、使用する暗号鍵は、前述した鍵に限定されず、種々のものに変更してもよい。
【００５３】
・認証装置１１及びコントローラ２１の通信は、有線及び無線のどちらでもよい。
・設備１は、宿泊施設２に限定されず、例えば時間貸し駐車場や共用宅配ボックスなど、他のサービス機器に変更可能である。
【００５４】
・機器７は、宿泊部屋３のドアに限定されず、例えば車両など、他の部材に変更してもよい。
次に、上記実施形態及び変更例ら把握できる技術的思想について記載する。
【００５５】
（イ）前記鍵情報配信システムにおいて、前記鍵情報配信部は、前記鍵情報を前記携帯端末に一括配信するにあたり、作業者の確認のために本人認証を実行し、当該本人認証が成立する場合に、前記鍵情報の一括配信を許可する。この構成の場合、鍵情報配信のセキュリティ性を確保することができる。
【符号の説明】
【００５６】
１…設備、２…宿泊施設、３…宿泊部屋、７…機器、８…携帯端末、９…共用システム、１１…認証装置、２８…鍵情報配信システム、２９…鍵情報配信部、Ｄｋ…鍵情報、Ｄｋ１…第１鍵情報、Ｄｋ２…第２鍵情報。
【図１】
2019193081.tif 000003
【図２】
2019193081.tif 000004
【図３】
2019193081.tif 000005
【図４】
2019193081.tif 000006